(57)【特許請求の範囲】
【請求項１】
容器を回転させる回転機構と、容器に向かって紐を繰り出す紐供給機構と、前記紐を容器の首部の外面との間に保持する紐保持機構と、紐を切断する切断機構とを備え、
容器と紐保持機構とにより紐を保持した状態で容器を回転させることにより容器の外周に紐を巻き付け、切断機構によってその紐を切断することを特徴とする容器装飾装置。
【請求項２】
請求項１に記載の容器装飾装置において、
前記紐供給機構を昇降させる昇降手段を設け、容器の回転に伴って紐供給機構を昇降させることにより、容器の外面に紐を螺旋状に巻き付けることを特徴とする容器装飾装置。
【請求項３】
請求項１または請求項２に記載の容器装飾装置において、
前記容器にエンブレムを取り付けるエンブレム取付け機構と、容器に紐を巻き付ける際に、取付けられたエンブレムを紐と干渉しない位置に回避させる回避手段とを設けたことを特徴とする容器装飾装置。
【請求項４】
請求項１ないし請求項３のいずれかに記載の容器装飾装置において、
前記容器に巻き付けられた紐の切断した部分を、巻き付けられている部分の下側に押し込む押込み手段を設けたことを特徴とする容器装飾装置。
【発明の詳細な説明】
【０００１】
【発明が属する技術分野】
１
本発明は、容器等の物品を装飾する容器装飾装置に係り、特に、飾り紐を容器の首部に自動的に巻き付けて装飾する容器装飾装置に関するものである。
【０００２】
【従来の技術】
例えば、高級な酒類では、外観上の高級感を演出するため、高価なガラスびんや陶器製の容器に入れ、さらに、この容器の外面にエンブレム等の装飾物を装着し、さらに、そのエンブレム等の上下に渡って飾り紐を螺旋状に巻き付けて装飾したもの等が従来から知られている。
【０００３】
【発明が解決しようとする課題】
前記のように容器の装飾用としてその首部に紐を巻き付けるためには、複雑な動作を必要とするため機械化することが非常に困難であり、従来は紐の巻き付け作業を手作業で行っていた。特に、エンブレム等の装飾物を容器に取付け、この装飾物を避けて、その上方から下方に渡って紐を巻き付ける場合には、自動化することはほとんど不可能であった。従って、従来は、容器等への紐の巻き付けやエンブレムの取付けを手作業で行っていた。このように手作業で紐の巻き付け等の装飾を行うため、作業に時間がかかり、処理スピードが遅く、生産効率が低下するという問題があった。
【０００４】
本発明は、前記課題を解決するためになされたもので、紐の巻き付け等による装飾工程を自動化し、生産ラインに組み込むことを可能にすることにより、処理スピードを早くし、生産効率を向上させることができる容器装飾装置を提供することを目的とするものである。
【０００５】
【課題を解決するための手段】
本発明に係る容器装飾装置は、容器を回転させる回転機構と、容器に向かって紐を繰り出す紐供給機構と、前記紐を容器の首部の外面との間に保持する紐保持機構と、紐を切断する切断機構とを備えており、容器と紐保持機構とにより紐を保持した状態で容器を回転させることにより容器の外周に紐を巻き付け、その後、切断機構によってその紐を切断するようにしたものである。
【０００６】
この容器装飾装置では、容器の外面と紐保持機構とによって紐を保持し、この状態のまま容器を回転させることにより、容器の周囲に紐を巻き付けることができ、簡単な構成により紐の巻き付け工程を自動化することが可能であり、製造工程の高速化を図ることができる。
【０００７】
請求項２に記載の発明に係る容器装飾装置は、前記紐供給機構を昇降させる昇降手段を設け、容器の回転に伴って紐供給装置を昇降させることにより、容器の外面に紐を螺旋状に巻き付けることを特徴とするものである。
【０００８】
この容器装飾装置では、容器を回転させて紐を巻き付けるとともに、紐供給装置を下降させれば、容器に対し紐が巻き付けられる位置が徐々に下方に移動し、紐を螺旋状に巻き付けることができる。
【０００９】
請求項３に記載の発明に係る容器装飾装置は、前記容器にエンブレムを取り付けるエンブレム取付け機構と、容器に紐を巻き付ける際に、取り付けられたエンブレムを紐と干渉しない位置に回避させる回避手段とを設けたことを特徴とするものである。
【００１０】
この発明に係る容器装飾装置では容器にエンブレムを取り付けた場合でも、紐を巻き付ける際に、回避手段によってエンブレムと紐との干渉を避けることができるので、容器に紐を巻き付ける作業を自動化し、製造工程の高速化を図ることが可能である。
【００１１】
請求項４に記載の発明に係る容器装飾装置は、前記容器に巻き付けられた紐の切断した部分を、巻き付けられている部分の下側に押し込む押込み手段を設けたことを特徴とするものである。
【００１２】
この発明に係る容器装飾装置では、容器に巻き付けた紐の切断部の処理についても自動化をすることができる。
【００１３】
【発明の実施の形態】
以下、図面に示す実施の形態により本発明を説明する。図１は本発明の一実施の形態に係る容器装飾装置の全体の構成を示す平面図、図２はその側面図であり、上流側（図の左方）に設けられた図示しないフィラ等により内部に液体が充填され、打栓が行われた容器２が供給コンベヤ４によって搬送されて、この容器装飾装置内に搬入される。
【００１４】
供給コンベヤ４の下流側の端部（図１の上方側）には、この供給コンベヤ４と直交する方向に進退動可能な容器押し出し機構６が設けられている。容器押し出し機構６は、シリンダ６ａとこのシリンダ６ａのロッドに取付けられた押圧プレート６ｂとを備えており、供給コンベヤ４上を搬送されてきた容器２は、この押し出し機構６によって、供給コンベヤ４と直交方向に配置された搬送プレート８上に一本ずつ押し出される。
【００１５】
搬送プレート８の上方両側には、前記押し出し機構６によって搬送プレート８上に移された容器２を、下流側（図１および図２の右側）に向かって１ピッチ分ずつ間欠的に前進させる第１の搬送ガイド１０および第２の搬送ガイド１２が設けられている。この第１搬送ガイド１０は、図１ないし図４に示すように、搬送プレート８の両側に配置された一対のガイド部材１０ａ、１０ｂを備えており、搬送プレート８の下方に平行して配置された一対のガイドロッド１０ｃ、１０ｄ上に進退動可能に支持されて、搬送ガイド移動用シリンダ１０ｅによって一体的に進退動される（図３参照）。また、これら一対のガイド部材１０ａ、１０ｂは、拡縮用モータ１０ｆによって互いに接近または離隔される。さらに、両ガイド部材１０ａ、１０ｂには、向かい合う面に等間隔で複数の切欠き１０ｇ、１０ｈが設けられており（図１参照）、この切欠き１０ｇ、１０ｈ内に容器２を保持して搬送する。なお、この実施の形態では、図３に示すように、両側のガイド部材１０ａ、１０ｂの高さを異ならせている。
【００１６】
前記第１搬送ガイド１０は、一対のガイド部材１０ａ、１０ｂを両側から接近させて、両切欠き１０ｇ、１０ｈ間に容器２を挟み、一ピッチ分前進（図１、図２の右方へ移動）した後開放してその位置に容器を一旦離し、その後一ピッチ分後退して元の位置に戻り、再び接近して容器２を掴み一ピッチ分前進するという動作を繰り返すようになっている。そして、この実施の形態では、第１搬送ガイド１０は、両ガイド部材１０ａ、１０ｂに等間隔で４個所の切欠き１０ｇ、１０ｈが形成されており、同時に４本の容器２を挟持して一ピッチ分ずつ下流側に送るようになっている。
【００１７】
搬送プレート８上の、前記容器押し出し機構６によって容器２が押し出されてくる位置（容器受け取りポジションＡ）の下流側には、等間隔で容器２を停止させる停止位置Ｂ、Ｃ、Ｄが設けられており、第１搬送ガイド１０によって搬送される容器２は、これら各停止位置Ｂ、Ｃ、Ｄに順次停止されつつ下流側に搬送される。前記各停止位置Ｂ、Ｃ、Ｄでは、それぞれ所定の処理が行われるようになっており、前記容器受け取りポジションＡの次の停止位置Ｂが、後に説明するエンブレム取付けステーション、その次の停止位置Ｃが縦方向のテープ貼りステーションになっている。
【００１８】
なお、第２の搬送ガイド１２は、前記第１の搬送ガイド１０とほぼ同一の構成を有しており、同様の作動を行うので、その説明は省略する。前記第１搬送ガイド１０と下流側の第２搬送ガイド１２との間に、これら両搬送ガイド１０、１２によって順次搬送される容器２が一時停止されて、紐の巻き付け工程が行われる紐巻き付けステーションＥが設けられている。
【００１９】
次に、前記各処理を行うステーションの構成について順次説明する。エンブレム取付けステーションＢには、図５および図６に示すように、容器２にエンブレム１４を取り付けるエンブレム取付け機構１６と、前記エンブレム１４を収容するエンブレムマガジン１８と、エンブレムマガジン１８からエンブレム１４を一枚ずつ取り出してエンブレム取付け機構１６に引き渡すエンブレム受け渡し機構２２が設けられている。エンブレムマガジン１８は、垂直な複数本のロッド１８ａで周囲を囲まれており、このロッド１８ａの下端に設けた係合爪によって、複数枚積み重ねられて収容されているエンブレム１４を支持している。なお、このエンブレム１４には、下げ紐が取り付けられており、この下げ紐を両面テープによって容器２の首部外面に貼り付けるようになっている。
【００２０】
エンブレム取付け機構１６は、その本体部１６ａが水平な支点軸１６ｂを中心に回転できるようになっており、この本体部１６ａに、エンブレム１４を保持するパッド１６ｃを備えたエンブレム取付け部１６ｄが進退動可能に支持されている。取付け部１６ｄは、本体部１６ａに固定された進退動用シリンダ１６ｅのピストンロッド１６ｆに連結されており、このシリンダ１６ｅの作動により、ガイドロッド１６ｇに案内されて進退動する。
【００２１】
また、本体部１６ａの、前記取付け部１６ｄが支持されている部分と、支点軸１６ｂを挟んだ逆側（図５の右側）に、フレーム２０上に回動可能に取り付けられた回転用シリンダ１６ｈのピストンロッドが連結されており、この回転用シリンダ１６ｈの作動により、前記本体部１６ａおよび取付け部１６ｄが、図５に示す直立位置と、取付け部１６ｄのパッド１６ｃが容器２の方向を向いた傾斜位置との間で回動する。
【００２２】
前記エンブレムマガジン１８およびエンブレム取付け機構１６の下方に、エンブレム受け渡し機構２２が設けられている。このエンブレム受け渡し機構２２は、エンブレムマガジン１８から一枚ずつエンブレム１４を取り出す取り出し部材２２ａと、この取り出し部材２２ａを、前記エンブレムマガジン１８と取付け機構１６との間で往復動させるリニアスライダ２２ｂとを備えている。取り出し部材２２ａが、エンブレムマガジン１８内に収容されている多数のエンブレム１４の一番下の一枚を取り出し、リニアスライダ２２ｂによって取付け機構１６の下方に移動されると（図５に二点鎖線で示す位置）、前記取付け機構１６の進退動用シリンダ１６ｅが作動して、取付け部１６ｄのパッド１６ｃが下降し、取り出し部材２２ａ上のエンブレム１４を保持する。
【００２３】
なおエンブレム１４は、その下げ紐を容器２の首部に両面テープで貼り付けることにより取り付けられるようになっており、エンブレム取付け機構１６がエンブレム１４を容器２に装着する前に、予め容器２の外面に下貼り用の両面テープを貼り付けている。そして、エンブレム１４を保持するパッド１６ｃは、エンブレム１４を保持する前に上貼り用の両面テープを保持して、その後保持したエンブレム１４をこの両面テープとともに、容器２に既に貼り付けられている下貼り用の両面テープの上から貼り付けるようになっている。
【００２４】
エンブレム取付けステーションＢの次に設けられた縦方向テープ貼りステーションＣには、容器２の首部付近に両面テープを縦方向に貼り付けるテープ貼り機構２４が設けられている（図７参照）。このテープ貼り機構２４は、支点軸２４ａを中心に揺動可能なＬ字状のアーム２４ｂと、このＬ字状のアーム２４ｂを揺動させる水平方向のシリンダ２４ｃと、前記Ｌ字状アーム２４ｂの揺動端に設けられたテープ保持部２４ｄとを備えている。さらに、この縦方向テープ貼りステーションＣの上方には、シリンダ２４ｅによって昇降される押さえロッド２４ｆが設けられており、容器2の外面に両面テープを貼り付ける際に、この押さえロッド２４ｆを下降させて容器２の頭部を押さえることにより容器２を安定させるようになっている。
【００２５】
また、このテープ貼り機構２４に隣接して両面テープ供給機構２６が設けられている。この両面テープ供給機構２６は、ロール状に巻かれた両面テープ２６ａを所定量繰り出し、シリンダ２６ｂによって昇降可能なカッタ２６ｃで切断して前記Ｌ字状アーム２４ｂの先端のテープ保持部２４ｄに受け渡すようになっている。この両面テープ供給機構２６によって供給され切断された両面テープを、前記Ｌ字状アーム２４ｂの先端のテープ保持部２４ｄに保持し、容器２に向かって揺動して、この容器２の首部に縦方向を向けて貼り付ける。なお、この縦方向のテープ貼りステーションＣでは、容器２を、モータ２４ｇによって回転可能なテーブル２４ｈ上に移し、容器２を所定角度（例えば９０度）ずつ回転させて複数個所に両面テープを貼り付けるようになっている。このように両面テープを、容器２の首部に貼り付けておくことにより、後に紐を巻き付ける際に、この紐がずれることを防止することができる。
【００２６】
前記第１搬送ガイド１０により容器２を挟持して搬送する位置の下流端と、第２搬送ガイド１２が容器２を挟持する位置の上流端とが同一の位置Ｅになっており（図１参照）、この停止位置Ｅが紐巻き付けステーションになっている。この紐巻き付けステーションＥに設けられた各部の構成について、図８およびその要部を拡大して示す図９により説明する。紐巻き付けステーションＥには、容器２を回転（容器２の軸芯を中心に回転する自転）させる容器回転機構２８と、容器２に向かって紐３０を供給する紐供給機構３２と、この紐供給機構３２から供給された紐３０の先端を、容器の首部の外面との間に保持する紐保持機構３４と、容器２に巻き付けた紐３０の端部を切断する紐切断機構３５と、切断された端部がほどけないように処理するする紐処理機構３６と、容器２に紐３０を巻き付ける際に、前記エンブレム取付け機構１６によって取り付けたエンブレム１４を紐３０に干渉しないように回避させる回避機構（全体の図示は省略するが、シリンダ３８ａによって進退動し、前進時にエンブレム１４を支持して紐３０との干渉を回避させるプレート３８だけを図９に示す）とを備えている。
【００２７】
容器回転機構２８は、下方の垂直な回転軸２８ａ上に固定された容器支持台２８ｂと、この容器支持台２８ｂ上に載せられた容器２の上方から下降して容器２の頭部を押さえる押さえロッド２８ｃと、これら容器支持台２８ｂの回転軸２８ａと押さえロッド２８ｃを、同方向に等速で回転させる回転駆動伝達手段４０とを備えている。
【００２８】
前記押さえロッド２８ｃは、天板４２に回転自在に、かつ昇降可能に支持されている。押さえロッド２８ｃは、前記天板４２の上方に突出している部分にスプリング２８ｄが介装されており、このスプリング２８ｄによって常時上方に付勢されている。天板４２の上方には、押さえロッド昇降用のシリンダ２８ｅが直立して設けられており、そのピストンロッド２８ｆの先端（下端）が、押さえロッド２８ｃの上端に僅かの隙間を開けて対向している。ピストンロッド２８ｆの先端には、ベアリング２８ｇを介して回転部材２８ｈが嵌着されており、この押さえロッド２８ｃを容器の頭部に押し付けるとともに、後に説明する押さえロッド２８ｃの回転時に、その自由な回転を許容するようになっている。
【００２９】
前記容器支持台２８ｂが固定されている回転軸２８ａも、押さえロッド２８ｃと同様の構成を有しており、支持プレート２８ｊに回転かつ昇降可能に支持されるとともに、スプリング２８ｋによって常時下方へ付勢されている。また、この回転軸２８ａの下端部は、容器支持台押し上げ用シリンダ２８ｍのピストンロッド２８ｎと僅かの隙間を開けて対向している。さらに、ピストンロッド２８ｎの上端には、ベアリング２８ｐを介して回転部材２８ｑが嵌着されており、後に説明する回転軸２８ａの回転時に、この回転軸２８ａ上に固定された容器支持台２８ｂを押し上げるとともに、その自由な回転を許容するようになっている。
【００３０】
押さえロッド２８ｃの周囲に、紐３０の先端を容器２の首部外面に押し付けて保持する紐保持機構３４が設けられている。この紐保持機構３４は、押さえロッド２８ｃの下部に固定された水平な固定リンク３４ａと、この固定リンク３４ａの上方に昇降可能に配置された水平な昇降リンク３４ｂと、これら上下の水平リンク３４ａ、３４ｂの両側を連結するそれぞれ二枚の上方リンク３４ｃおよび下方リンク３４ｄと、下方リンク３４ｄと一体に揺動するアーム３４ｅと、これら両アーム３４ｅの下端にそれぞれ内向きに取り付けられた紐保持爪３４ｆとを備えている。そして、前記押さえロッド２８ｃを昇降および回転可能に支持する天板４２の下面に下向きに取り付けられた二本のシリンダ３４ｇによって、前記上方の昇降リンク３４ｂを下降させると、下方のアーム３４ｅに取り付けられた紐保持爪３４ｆが閉じて、紐３０の先端を容器２の外面に押し付けるようになっている。なお、紐保持機構３４は、前記上下の水平リンク３４ａ、３４ｂ間に介装されたスプリング３４ｈによって開放した状態に復帰する。
【００３１】
回転駆動伝達手段４０は、鉛直方向に配置された前記回転軸２８ａと押さえロッド２８ｃに隣接して、前記天板４２および支持プレート２８ｊ間に回転自在に支持された垂直な駆動軸４０ａと、この駆動軸４０ａを回転駆動するモータ４０ｂと、駆動軸４０ａの上部と下部にそれぞれ取付けられたホイール４０ｃ、４０ｄと、前記回転軸２８ａおよび押さえロッド２８ｃの、これらホイール４０ｃ、４０ｄと同じ高さにそれぞれ固定されたホイール４０ｅ、４０ｆとの間に掛け回されている上下の伝達ベルト４０ｇ、４０ｈ等を備えている。
【００３２】
紐供給機構３２は、複数のローラ３２ａを介して引き出された紐３０を、シリンダ３２ｂによって昇降する上方のローラ３２ｃと下方の２つのローラ３２ｄとの間に保持し、さらに、水平な筒体３２ｅの内部を挿通し、その先端を容器２の首部の近くまで送り出すようになっている。この紐供給機構３２の本体部３２ｆはねじ軸３２ｇに螺合されており、モータ３２ｈによってねじ軸３２ｇを回転させることにより昇降させることができる。
【００３３】
前記紐供給機構３２の容器２側に位置している水平筒体３２ｅの上方には、先端が下向きのＬ字状プレート３２ｊが設けられており、これら水平筒体３２ｅとＬ字状プレート３２ｊは、水平なシリンダ３２ｋによって容器２の方向に向かって水平に進退動できるようになっている。さらに、Ｌ字状プレート３２ｊは、垂直なシリンダ３２ｍによって前記水平筒体３２ｅに対して昇降できるようになっている。前記紐保持機構３４によって紐３０の先端を容器２の外面に押さえつけて保持する際に、Ｌ字状プレート３２ｇが下降して紐３０の先端を水平筒体３２ｅの先端から下方へ向けて折り曲げておき、紐保持爪３４ｆが確実に紐３０の先端を容器２の外面に押さえつけるようになっている。この紐供給機構３４は、スライダ３０ｎによって全体として前後方向（紙面の上下方向）に進退動できるようになっており、紐３０の先端を容器２に押さえつけた後、紐３０を容器２に巻き付ける際に干渉しないように移動させる。
【００３４】
前記紐供給機構３２と一体に、シリンダ３５ａによって進退動するカッタ３５ｂを有する紐切断機構３５が設けられており、紐３０の巻き付けが終了したときに、カッタ３５ｂを前進させて紐３０を切断する。さらに、紐供給機構３２の下方には、前記紐切断機構３５によって切断された紐３０の端部がほどけないように処理する紐処理機構３６が設けられている。この紐処理機構３６は、容器２の首部に紐３０の巻き付けが終了したときに、紐３０の切断位置の近くを押さえる紐押さえ部材３６ａと、この紐押さえ部材３６ａの下側にほぼ平行して配置された紐押し込み部材３６ｂを備えている。これら紐押さえ部材３６ａと紐押し込み部材３６ｂは水平方向のシリンダ３６ｃによって、一体的に容器２に向かって進退動し、また、紐押し込み部材３６ｂは、斜めのシリンダ３６ｄによって紐押さえ部材３６ａに対して前方に進出することができるようになっている。容器２の首部に紐３０の巻き付けが終了すると、前記紐押さえ部材３６ａによって容器２側の端部を押さえて、紐切断機構３５のカッタ３５ｂにより紐３０を切断する。そして、紐３０の切断された端部が、前記紐押し込み部材３６ｂの進出によって、容器２に巻き付けられた部分の下側に押し込まれてほどけないように留められる。
【００３５】
また、容器２の側方（図８の左側）には、容器２に紐３０を巻き付ける際に、この紐３０を、既に装着されているエンブレム１４の下側に巻けるようにエンブレム１４を持ち上げて避けるための回避機構が設けられている。この回避機構は傾斜部と水平部とを有するプレート３８を備えており、シリンダ３８ａによって容器２に向かって進退動できるようになっている。
【００３６】
以上の構成に係る容器装飾装置の作動について説明する。上流側の充填機（図示せず）で内部に液体が充填され、キャッパによってキャッピングされた容器２が、容器供給コンベヤ４によって搬送され、容器押し出し機構６によって押し出されて搬送プレート８上に載せられる。第１搬送ガイド１０は、両ガイド部材１０ａ、１０ｂが開いた状態で後退（図１の右から左へ移動）した後、これら両ガイド部材１０ａ、１０ｂを閉じて、両切欠き１０ｇ、１０ｈ間に前記容器受け取りポジションＡに停止している容器２を把持する。
【００３７】
次に、前記第１搬送ガイド１０は、１ピッチ分前進（図１の右方向に移動）して、その位置（エンブレム取付けステーションＢ）で開放し、容器２を離す。この位置では、エンブレムマガジン１８内に収容されているエンブレム１４の一番下の一枚が、エンブレム受け渡し機構２２の取り出し部材２２ａによって取り出され、リニアスライダ２２ｂの作動によりエンブレム取付け機構１６の下方に移動される（図５の二点鎖線参照）。
【００３８】
エンブレム１４を載せた取り出し部材２２ａが停止すると、直立した状態にあるエンブレム取付け機構１６（図５に示す状態）の進退動用シリンダ１６ｅが作動して、パッド１６ｃを備えたエンブレム取付け部１６ｄが下降し、前記エンブレム１４を保持する。前記進退動用シリンダ１６ｅによって取付け部１６ｄを上昇させた後、回転用シリンダ１６ｈを作動させて、エンブレム取付け機構１６全体を傾け、前記エンブレム１４を保持しているパッド１６ｃを容器２の方向に向ける。ここで再び進退動用シリンダ１６ｅを作動させて、前記パッド１６ｃが保持しているエンブレム１４を容器２の側面に押し付ける。なお、エンブレム１４を装着する前に予め容器２に両面テープを貼り、また、パッド１６ｃが別の両面テープを先に保持した後に前記エンブレム１４を保持するようになっており、エンブレム１４の下げ紐は、先に貼られている両面テープと、エンブレム１４の下げ紐の上から貼られる両面テープとによって、容器２の外面に貼り付けられる。
【００３９】
エンブレム１４が取り付けられた容器２は、第１搬送ガイド１０によって再び一ピッチ分搬送され、次の縦方向テープ貼りステーションＣに停止する。この縦方向テープ貼りステーションＣでは、両面テープ供給機構２６から供給され、カッター２６ｃによって切断された両面テープを、Ｌ字状アーム２４ｂの先端のテープ保持部２４ｄが保持し、容器２の方向に揺動して、この容器２の外面に貼り付ける。なお、両面テープを貼り付ける際には、容器２はモータ２４ｇによって回転されるテーブル２４ｈ上に移され、上方のシリンダ２４ｅにより押さえロッド２４ｆを下降させて頭部を押さえた状態で、所定角度ずつ回転されて複数個所（この実施の形態では９０度ずつ回転されて４個所）に両面テープが貼り付けられる。
【００４０】
縦方向の両面テープが貼り付けられた容器２は、第１搬送ガイド１０によって次の紐巻き付けステーションＥまで搬送される。この紐巻き付けステーションＥでは、容器回転機構２８の上下のシリンダ２８ｅ、２８ｍを作動させて、上方の押さえロッド２８ｃを下降させるとともに、下方の回転軸２８ａに取り付けられた容器支持台２８ｂを押し上げ、容器２を上下から押さえる。
【００４１】
一方、紐供給機構３２から繰り出されている紐３０は、その先端部が水平筒体３２ｅから突出しており、この状態からシリンダ３２ｍによりＬ字状プレート３２ｊを下降させる。紐３０の先端部は、折り曲げられて下向きになる。この状態で、水平方向のシリンダ３２ｋによって容器首部の位置まで突出する。そこで、紐保持機構３４のシリンダ３４ｇを作動させて、上方の水平な昇降リンク３４ｂを下降させる。このリンク３４ｂの下降により、下方の固定リンク３４ａに連結されている両アーム３４ｅが内方へ揺動し、それらの先端の紐保持爪３４ｆを閉じる。一方の紐保持爪３４ｆの先端が、前記下向きの紐３０の先端部を容器２の外面に強く押し付けて保持する。紐３０の先端部を容器２に押し付けて保持した後、紐供給機構３２は、スライダ３２ｎによって、回転する紐保持機構３４と干渉しない位置に移動する。
【００４２】
この状態で回転駆動伝達手段４０のモータ４０ｂを駆動して駆動軸４０ａを回転させ、その回転を、ホイール４０ｃ、４０ｄ、４０ｅ、４０ｆおよびベルト４０ｇ、４０ｈを介して、前記容器回転機構２８の下方の回転軸２８ａと上方の押さえロッド２８ｃに伝達し、容器支持台２８ｂ上の容器２を回転させる。この容器２の回転に伴って、前記紐供給機構３２のモータ３２ｈを駆動して紐３０を徐々に下降させる。容器２の一回転につきほぼ紐３０の太さ分だけ下降させることにより、容器２の周囲に、紐３０を上下に密着した状態で螺旋状に巻き付けることができる。このように容器２と紐保持機構３４によって容器２に押さえつけている紐３０の先端を回転させるようにしたことにより、自動的にしかも高速で容器２の首部に装飾用の紐３０を巻き付けることができる。なお、容器２の回転によって巻き付けられる紐３０は、シリンダ３２ｂによって昇降する上方のローラ３２ｃと下方の２つのローラ３２ｄとの間に保持されているが、巻き始めはシリンダ３２ｂによって強く押さえ、その後、やや保持する力を弱めるようになっている。
【００４３】
前記のように紐３０が巻き付けられている容器２の首部には、エンブレム１４の下げ紐の部分が貼り付けられており、このエンブレム１４および下げ紐の下側にも紐３０を巻き付けるようにしているので、容器２を所定回数回転して下げ紐の途中まで紐３０を巻き付けた後、シリンダ３８ａの作動によって回避機構のプレート３８を容器２に接近させる。このプレート３８は傾斜部と水平部とを有しており、容器２が回転すると、容器２に装着されたエンブレム１４が、先ず、傾斜部の下側からこのプレート３８上に載り、回転に伴って傾斜部を上方へ向かって移動し、最後に水平部を通過して落下するようになっており、このようにプレート３８によってエンブレム１４を持ち上げている間にエンブレム１４の下側に紐３０が巻き付けられる。なお、回転機構２８では回転速度が制御されており、エンブレム１４の下側に紐３０を巻くときには、回転速度を落とすようにしている。
【００４４】
紐３０が容器２に所定回数巻き付けられると、一旦容器２の回転を停止する。容器２の回転が停止した後、紐処理機構３６全体を容器２の方向に移動させて、紐押さえ部材３６ａにより紐３０の切断位置の近くを押さえる。ここで紐切断機構３５のカッタ３５ｂを前進させてこの紐３０を切断する。その後、紐押さえ部材３６ａの下側に設けられている紐押し込み部材３６ｂを、シリンダ３６ｄにより前進させつつ、容器２を僅かに回転させ、紐３０の切断された端部を容器２に巻き付けられている部分の下側に押し込む。このようにしっかりと巻き付けられている部分に切断された端部を挟み込んでいるので、巻き付けられた紐３０が外れてしまうことがない。
【００４５】
【発明の効果】
以上説明したように本発明の容器装飾装置は、容器を回転させる回転機構と、容器に向かって紐を繰り出す紐供給機構と、前記紐を容器の首部の外面との間に保持する紐保持機構と、紐を切断する切断機構とを備え、容器と紐保持機構とにより紐を保持した状態で容器を回転させることにより容器の外周に紐を巻き付け、切断機構によってその紐を切断するようにしたので、従来自動化が困難であった容器への紐の巻き付け作業を自動化し、高速処理を行うことが可能である。
【００４６】
また、請求項２に記載の容器装飾装置は、前記紐供給機構を昇降させる昇降手段を設け、容器の回転に伴って紐供給機構を昇降させることにより、自動的に容器の首部に紐を螺旋状に巻き付けることができる。
【００４７】
さらに、請求項３に記載の容器装飾装置は、前記容器にエンブレムを取り付けるエンブレム取付け機構と、容器に紐を巻き付ける際に、取り付けられたエンブレムを紐と干渉しない位置に回避させる回避手段とを設けたことにより、容器にエンブレムを取り付けた場合でも、このエンブレムの下側にも紐を自動的に巻き付けることができる。
【００４８】
また、請求項４に記載の容器装飾装置は、前記容器に巻き付けられた紐の切断部を、巻き付けられている部分の下側に押し込む押込み手段を設けたので、容器巻き付けた後に切断した紐の端部を、自動的に、ほどけないように、かつ、確実に処理することができる。
【図面の簡単な説明】
【図１】本発明の一実施の形態に係る容器装飾装置の全体を示す平面図である。
【図２】前記容器装飾装置の側面図である。
【図３】前記容器装飾装置の容器搬送部（搬送プレートおよび搬送ガイド）を示す正面図である。
【図４】前記容器装飾装置の容器搬送部を示す側面図である。
【図５】エンブレム取付けステーションの構成を示す正面図である。
【図６】エンブレム取付けステーションの構成を示す側面図である。
【図７】縦方向のテープ貼り付けステーションの構成を示す正面図である。
【図８】紐巻き付けステーションの構成を示す正面図である。
【図９】図８の要部の拡大図である。
【符号の説明】
２    容器
１４    エンブレム
１６    エンブレム取付け機構
２８    回転機構
３０    紐
３２    紐供給機構
３２ａ  紐供給機構の昇降手段（モータ）
３４    紐保持機構
３５    紐切断機構
３６ｂ  紐の押込み手段
３８    エンブレムの回避手段
【図１】
0003852332.tif 000002
【図２】
0003852332.tif 000003
【図３】
0003852332.tif 000004
【図４】
0003852332.tif 000005
【図５】
0003852332.tif 000006
【図６】
0003852332.tif 000007
【図７】
0003852332.tif 000008
【図８】
0003852332.tif 000009
【図９】
0003852332.tif 000010